(57)【要約】【課題】既存の便座に設置可能であり安価な便座ガードを提供する。【解決手段】屈曲可能な平板状のガード本体１２と、ガード本体１２の両脇に連設され、便座１４に摺動可能に取り付けられる支持部材１６とを備えた。ガード本体１２は使用時には便器の前部の湾曲面にそって湾曲した状態で垂下し、使用後には便座のほぼ中心部において水平方向に広がった状態となる。ガード本体１２を垂下させて便座１４に取り付けることによって、便器２０と便座１４の隙間２５からの着座時の小水や、洗浄装置２２の局部洗浄水等の便器２０外へ飛散、流出を防止する。また、支持部材１６を便座１４に対して摺動可能とすることによって、清掃し易さを確保しつつ便座１４の機能や着座感を損なわない。【選択図】図１
0003107553.tif 000002
【実用新案登録請求の範囲】
【請求項１】
屈曲可能な平板状のガード本体と、
前記ガード本体の両脇に連設され、便座に摺動可能に取り付けられる支持部材とを備えたことを特徴とする便座ガード。
【請求項２】
請求項１記載の便座ガードにおいて、
前記ガード本体は、前記支持部材が便座の前部に位置しているときに便器の前部の湾曲面にそって湾曲した状態で垂下し、前記支持部材が便座の側部に位置しているときに便座のほぼ中心部において水平方向に広がった状態となるものであることを特徴とする便座ガード。
【請求項３】
請求項１または２に記載の便座ガードにおいて、
前記ガード本体と前記支持部材とは、同一材料により一体に形成されたものであることを特徴とする便座ガード。
【請求項４】
請求項１または２に記載の便座ガードにおいて、
前記支持部材は、便座に嵌合できる大きさのリング状をなすものであることを特徴とする便座ガード。
【請求項５】
請求項１または２に記載の便座ガードにおいて、
前記支持部材は、前記ガード本体の両脇に連結された帯状体を中間部で折り返し、その折返し端部を着脱自在に係止したものであることを特徴とする便座ガード。
【請求項６】
請求項１または２に記載の便座ガードにおいて、
前記ガード本体と前記支持部材とを自在継ぎ手により連結したことを特徴とする便座ガード。
【請求項７】
請求項１または２に記載の便座ガードにおいて、
前記支持部材の先端部に、便座を把持する把持部材を連結したことを特徴とする便座ガード。
【請求項８】
請求項１乃至７に記載の便座ガードにおいて、
前記支持部材を伸縮自在な部材により形成したことを特徴とする便座ガード。
【請求項９】
請求項１乃至７に記載の便座ガードにおいて、
前記支持部材を柔軟性のある部材により形成したことを特徴とする便座ガード。
【請求項１０】
請求項１乃至７に記載の便座ガードにおいて、
前記ガード本体は透明体であって、洗浄ノズルの位置表示マークを付けたことを特徴とする便座ガード。
【請求項１１】
便器の前部に垂下するようにして使用されるガード本体と、
便座に取り付けられる把持部材と、
前記把持部材と前記ガード本体とを連結する伸縮自在な腕部材とを備え、
前記腕部材は、全長を縮めた状態では、前記ガード本体を便器の前部に垂下するよう配置し、全長を伸長した状態では、前記ガード部材を洗浄装置近傍に配置することを特徴とする便座ガード。
【請求項１２】
便器の前部に垂下する前板と、この前板上部に配置された天井板と備えるガード本体と、
前記ガード本体を支持する支持軸と把持部材とを備えた支持部材とからなり、
左右一対の前記把持部材は、便座もしくはその下側の便器の縁を把持するように構成されており、
前記支持軸は、前記ガード本体と前記把持部材とを接続し、伸縮性のある柔軟な部材からなることを特徴とする便座ガード。
【請求項１３】
便器の前部に垂下する前板と、この前板上部に配置された天井板と備えるガード本体と、
前記ガード本体を支持する支持軸と把持部材とを備えた支持部材とからなり、
左右一対の前記把持部材は、便座もしくはその下側の便器の縁を把持するように構成されており、
前記支持軸は、前記ガード本体を揺動可能に支持する棒状体からなることを特徴とする便座ガード。
【請求項１４】
便器の前部に垂下する前板と、この前板上部に配置された天井板と備えるガード本体と、
前記便座の上面に敷いて使用される、クッション性のあるシートであって、前記ガード本体を前端下方に固定した便座シートとを備えたことを特徴とする便座ガード。
【請求項１５】
請求項１記載の便座ガードにおいて、
前記支持部材と前記ガード本体とは、連続した屈曲可能な塑性変形する板からなり、
前記支持部材は、便座もしくはその下側の便器の縁に乗せられて前記ガード本体を支持し、
前記ガード本体は、便器の前部で垂下するように折り曲げられていることを特徴とする便座ガード。
【考案の詳細な説明】
【技術分野】
【０００１】
本考案は、洋風便器の便座に取り付けられて、便器と便座の隙間からの着座時の小水や、洗浄装置の局部洗浄水等の便器外へ飛散、流出を防止する便座ガードに関する。
【背景技術】
【０００２】
図８及び図９に示すように、洋風便器２０の便座１４を便器のリム面に降ろす際の衝撃を緩和するために、便座１４下面の数ヶ所に、ゴム又は樹脂で形成されたクッション部材２１が取り付けられている。そして、便器２０リム上面と便座１４下面との間に、このクッション部材２１の高さ分の隙間２５ができている。このため、従来の洋風便器においては、この隙間２５より、着座時の小水や便器に取り付けられた洗浄装置２２の局部洗浄水が便器外へ飛散、流出し、便器外面や便器周辺の床面に付着することで、汚れや臭気の原因となっていた。
【０００３】
従来、この隙間２５から汚水の飛散や流出を防止するために、便座の内周縁から飛散防止用のプレートを設けることや、洋風便器の前部上面に汚水流出防止体を設けること（特許文献１、特許文献２参照）が知られている。
【特許文献１】特開平１１−６１９３８号公報
【特許文献２】実用新案第３０４６４７６号公報
【考案の開示】
【考案が解決しようとする課題】
【０００４】
しかしながら、従来の便座の内周縁から飛散防止用の壁や、洋風便器の前部上面に汚水流出防止体などの形状を便座や便器に一体に設けることは、様々な便器もしくは便座内周の形状に適応しなければならず、構成が煩雑であり高価なものになっている。従って容易に設置できないという課題がある。
【０００５】
本考案は、以上の課題を解決するためになされたもので、既存の便座に設置可能であり、清掃し易さを確保しつつ便座の機能や着座感を損なうことのない、安価な便座ガードを提供することを目的とする。
さらに本考案は、使用時の位置から洗浄位置まで、ガード本体を容易に移動させることができ、ガード本体を既存の洗浄ノズルを利用して随時洗浄し、清潔に使用することができる便座ガードを提供することを目的とする。
【課題を解決するための手段】
【０００６】
本考案の各実施例においては、それぞれ次のような構成により上記の課題を解決する。
〈構成１〉
屈曲可能な平板状のガード本体と、上記ガード本体の両脇に連設され、便座に摺動可能に取り付けられる支持部材とを備えたことを特徴とする便座ガード。
【０００７】
ガード本体を垂下させて便座に取り付けることによって、便器と便座の隙間からの着座時の小水や、洗浄装置の局部洗浄水等の便器外へ飛散、流出を防止できる。また、支持部材を便座に対して摺動可能とすることによって、清掃し易さを確保しつつ、便座の機能や着座感を損なうことがない。
【０００８】
〈構成２〉
構成１記載の便座ガードにおいて、上記ガード本体は、上記支持部材が便座の前部に位置しているときに便器の前部の湾曲面にそって湾曲した状態で垂下し、上記支持部材が便座の側部に位置しているときに便座のほぼ中心部において水平方向に広がった状態となるものであることを特徴とする便座ガード。
【０００９】
便器の使用時には、支持部材を便座の前部に位置させてガード本体が小水等の便器外へ飛散、流出を防止する。使用していないときには、支持部材を便座の側部に位置させガード本体を便座のほぼ中心部において水平方向に広がった状態として便器に付設されている洗浄装置によって洗浄することができる。
【００１０】
〈構成３〉
構成１または２に記載の便座ガードにおいて、上記ガード本体と上記支持部材とは、同一材料により一体に形成されたものであることを特徴とする便座ガード。
【００１１】
屈曲可能なプラスチックあるいはゴムからなる１枚のシートを、ガード本体と支持部材の形状に打ち抜くことにより、簡単かつ安価に製作できる。
【００１２】
〈構成４〉
構成１または２に記載の便座ガードにおいて、上記支持部材は、便座に嵌合できる大きさのリング状をなすものであることを特徴とする便座ガード。
【００１３】
前部が分離しているほぼＵ字形の便座に使用される。使用時に便座の分離端から嵌入するだけなので、取り付けが容易である。これにより、簡単に取り外して丸洗いするなどして容易に汚れを除去することが可能である。
【００１４】
〈構成５〉
構成１または２に記載の便座ガードにおいて、上記支持部材は、上記ガード本体の両脇に連結された帯状体を中間部で折り返し、その折返し端部を着脱自在に係止したものであることを特徴とする便座ガード。
【００１５】
帯状体の折返し端部と同折返し端部を係止する部分とに、互いに係止し合うホックや面ファスナー等の着脱自在な係止具を取り付ける。この係止具を用いて支持部材を便座に固定する。前部も繋がっているＯ字形の便座に支持部材を取り付ける場合に適する。
【００１６】
〈構成６〉
構成１または２に記載の便座ガードにおいて、上記ガード本体と上記支持部材とを自在継ぎ手により連結したことを特徴とする便座ガード。
【００１７】
支持部材を便座に嵌め込んだとき、ガード本体と支持部材の連結部分が捩られる場合に、その捩りを自在継ぎ手で吸収して同連結部分の破損を防止する。
【００１８】
〈構成７〉
構成１または２に記載の便座ガードにおいて、上記支持部材の先端部に、便座を把持する把持部材を連結したことを特徴とする便座ガード。
【００１９】
便座の横断面は概略楕円形や長方形であることが多い。把持部材はこのような便座の形状に合わせて形成されている。把持部材をほぼＣ字形に形成した場合に、その開口部を便座に対して上方から押しつけることによって、把持部材が便座に弾力をもって保持され、かつ着脱自在に嵌め込まれる。
【００２０】
〈構成８〉
構成１乃至７に記載の便座ガードにおいて、上記支持部材を伸縮自在な部材により形成したことを特徴とする便座ガード。
【００２１】
大きさや若干形状の異なる便座にも取り付けることができる。また、ガード本体の位置を移動しやすいから、洗浄できる位置への移動が容易である。
【００２２】
〈構成９〉
構成１乃至７に記載の便座ガードにおいて、上記支持部材を柔軟性のある部材により形成したことを特徴とする便座ガード。
【００２３】
大きさや若干形状の異なる便座にも取り付けることができる。また、ガード本体の位置を移動し、向きを変えやすいから、洗浄できる位置への移動と位置決めが容易である。
【００２４】
〈構成１０〉
構成１乃至７に記載の便座ガードにおいて、上記ガード本体は透明体であって、洗浄ノズルの位置表示マークを付けたことを特徴とする便座ガード。
【００２５】
ガード本体を洗浄ノズルで洗浄するとき、ガード本体を透明体にすると、ガード本体と洗浄ノズルの位置関係を適切に調整できる。位置表示マークは、その位置のめやすである。
【００２６】
〈構成１１〉
便器の前部に垂下するようにして使用されるガード本体と、便座に取り付けられる把持部材と、上記把持部材と上記ガード本体とを連結する伸縮自在な腕部材とを備え、上記腕部材は、全長を縮めた状態では、上記ガード本体を便器の前部に垂下するよう配置し、全長を伸長した状態では、上記ガード部材を洗浄装置近傍に配置することを特徴とする便座ガード。
【００２７】
〈構成１２〉
便器の前部に垂下する前板と、この前板上部に配置された天井板と備えるガード本体と、上記ガード本体を支持する支持軸と把持部材とを備えた支持部材とからなり、左右一対の上記把持部材は、便座もしくはその下側の便器の縁を把持するように構成されており、上記支持軸は、上記ガード本体と上記把持部材とを接続し、伸縮性のある柔軟な部材からなることを特徴とする便座ガード。
【００２８】
〈構成１３〉
便器の前部に垂下する前板と、この前板上部に配置された天井板と備えるガード本体と、上記ガード本体を支持する支持軸と把持部材とを備えた支持部材とからなり、左右一対の上記把持部材は、便座もしくはその下側の便器の縁を把持するように構成されており、上記支持軸は、上記ガード本体を揺動可能に支持する棒状体からなることを特徴とする便座ガード。
【００２９】
〈構成１４〉
便器の前部に垂下する前板と、この前板上部に配置された天井板と備えるガード本体と、上記便座の上面に敷いて使用される、クッション性のあるシートであって、上記ガード本体を前端下方に固定した便座シートとを備えたことを特徴とする便座ガード。
【００３０】
〈構成１５〉
構成１記載の便座ガードにおいて、上記支持部材と上記ガード本体とは、連続した屈曲可能な塑性変形する板からなり、上記支持部材は、便座もしくはその下側の便器の縁に乗せられて上記ガード本体を支持し、上記ガード本体は、便器の前部で垂下するように折り曲げられていることを特徴とする便座ガード。
【考案を実施するための最良の形態】
【００３１】
以下、本考案の実施の形態を実施例ごとに詳細に説明する。
【実施例１】
【００３２】
図１は、実施例１の便座ガードを示す斜視図である。
図１に示すように、実施例１の便座ガードは、屈曲可能な平板状のガード本体１２と、このガード本体１２の両脇に連設され、便座１４に摺動可能に取り付けられる支持部材１６とを備えている。
【００３３】
ガード本体１２と支持部材１６とは、別々に形成したものを連結して構成してもよいが、同一材料により一体に構成することもできる。一体に構成する場合には、先ず、屈曲可能なプラスチックあるいはゴムからなる１枚のシートを、ガード本体１２と支持部材１６の形状に打ち抜き、ガード本体１２の両脇に帯状体を形成する。次に、この帯状体となった部分を中間部で折り返しその折返し端部を係止具１８により着脱自在に係止することにより、リング状をなす支持部材１６が形成される。
【００３４】
支持部材１６のリングの大きさは、便座１４に嵌合可能でかつ摺動できる大きさである。係止具１８は、互いに係止し合うホックや面ファスナー等の着脱自在に係止する任意のものが使用される。使用時には、係止具１８を用いて支持部材１６を便座１４に固定する。
【００３５】
係止具１８を用いた支持部材１６は、前部も繋がっているＯ字形の便座１４に取り付ける場合に適する。使用後は、係止具１８を解離して支持部材１６を便座１４から取り外し、丸洗いすることができる。
【００３６】
リング状をなす支持部材１６は、折返し端部を、糸で縫上げたり加熱融着すること等により固定して構成してもよい。このようにされた支持部材１６は、前部が分離しているほぼＵ字形の便座１４に使用される。使用時に便座１４の分離端から嵌入して取り付けるためである。
【００３７】
なお、一対の支持部材１６はそれぞれ山折り線１ａと山折り線１ｄで斜めに折り返すことにより、図の破線の方向に向く。また、ガード本体１２は谷折り線１ｂと谷折り線１ｃの付近で湾曲させて、凹面を形成する。
【００３８】
図２は、実施例１の便座ガードの使用状況を示す図で、（ａ）は平面図、（ｂ）は（ａ）のＡＡ線に沿う断面図である。
図２に示すように、２つの支持部材１６をガード本体１２に対して後方にほぼ９０°折り曲げると共に、ガード本体１２との連結部分をほぼ９０°捩って便座前部に取り付ける。こうすることによって、ガード本体１２のフラット面と２つの支持部材１６のフラット面とは直交する。そして、ガード本体１２は、便器２０の前部の湾曲面にそって湾曲した状態で垂下するようになる。
【００３９】
ガード本体１２を垂下させて便座１４に取り付けることによって、便器２０と便座１４の隙間からの着座時の小水や、洗浄装置２２の局部洗浄水等の便器２０外へ飛散、流出を防止できる。また、支持部材１６を便座１４前部に取り付けると、便座に座るときに、支持部材１６が足の下にこない。従って、便座１４の機能や着座感を損なわせることがない。
【００４０】
図３は、実施例１の便座ガードを洗浄する場合の状況を示す説明図で、（ａ）は平面図、（ｂ）は側面図である。
図３（ａ）は、支持部材１６を便座１４にそって摺動させて便座ガードを図２（ａ）の状態から移動した状態を示している。支持部材１６を便座１４の前部から側部の方に摺動させるにつれてガード本体１２が湾曲状態から徐々に広げられるようになる。従ってガード本体１２は、支持部材１６が便座１４の側部に位置していることにより、便座１４のほぼ中心部において水平方向に広がった状態となる。
【００４１】
その結果、使用時に折れ曲がっていた部分が全て平坦に伸ばされて、これまで垂直に垂れ下がっていたガード本体１２が水平方向に向く。支持部材１６とガード本体１２のこれまで折り曲げられていた部分は、山折り線２ａ、山折り線２ｂ、山折り線２ｃ、谷折り線２ｄ、谷折り線２ｅ、山折り線２ｆである。
【００４２】
このようにガード本体１２を水平方向に広げた状態として、図３（ｂ）に示すように、便器２０に付設されている洗浄装置２２の洗浄ノズル２３によって洗浄水２４を噴射させてガード本体１２を洗浄することができる。
【００４３】
ガード本体１２は使用のつど汚れるとは限らない。必要なときだけ洗浄すればよい。これを洗浄するのに、必ず着脱しなければならないのは不便である。常に自動的に洗浄される水洗便所の性質にそぐわない。そこで、必要なときだけ、少し位置をずらして、洗浄ノズル２３を利用して洗浄すれば、非常に簡便に、ガード本体１２を常に清潔にたもつことができる。これにより、この点を解決することにより、従来普及していなかったこの種の装置を広く普及させることができる。
【実施例２】
【００４４】
図４は、実施例２の便座ガードを示す正面図である。
図４（ａ）に示すように、この便座ガードは、ガード本体１２Ａと支持部材１６Ａとを自在継ぎ手２８により連結したものである。ガード本体１２Ａは屈曲可能なプラスチックあるいはゴムのシートから形成されている。自在継ぎ手２８は、両端部に設けられた球状端子２９を、ガード本体１２Ａ及び支持部材１６Ａに設けられた受け金具３０に回動自在に連結した周知構造をなすものである。支持部材１６Ａは便座１４に嵌め込み可能なほぼＣ字形に形成されている。
【００４５】
支持部材１６Ａを便座１４に嵌め込んだとき、ガード本体１２Ａと支持部材１６Ａの連結部分が捩られる場合に、その捩りを自在継ぎ手２８で吸収して同連結部分の破損を防止できる。また、自在継ぎ手２８を使用しているから、ガード本体１２Ａの傾斜を自由に変更できる。従って、図４（ｂ）に示すように、使用時の傾斜も最適化できる。また、洗浄時には、図３で説明したように、ガード本体１２Ａを水平にして、洗浄ノズル２３の上にかざすことができる。なお、支持部材１６Ａを伸縮性のよい例えば、ゴムやスプリングで構成すれば、便座のサイズに制限されずに使用することができ、移動も容易である。
【実施例３】
【００４６】
図５は、実施例３の便座ガードを示す斜視図である。
図５の（ａ）に示すように、この便座ガードは、支持部材１６Ｂの先端部に、便座１４を把持する把持部材２６を連結したものである。便座１４の横断面は概略楕円形や長方形であることが多い。把持部材２６はこのような便座１４の形状に合わせて形成されている。ガード本体１２Ｂと支持部材１６Ｂは、実施例１のガード本体１２と支持部材１６と同様に屈曲可能なプラスチックあるいはゴムにより形成されている。
【００４７】
把持部材２６をほぼＣ字形に形成した場合に、その開口部を便座１４に対して上方から押しつけることによって、把持部材２６が便座１４に弾力をもって保持され、かつ着脱自在に嵌め込まれる。
【００４８】
なお、実施例１〜３の便座ガードの支持部材１６を伸縮自在な帯状体により形成することにより、大きさや多少の形状の違う便座１４にも取り付けることができる。また、図５の（ｂ）に示すように、支持部材１６Ｂの部分が柔軟であれば、使用時にはガード本体１２Ｂを垂直にして、洗浄時には図の（ａ）のように水平にさせることができる。また、洗浄時には、ガード本体１２Ｂを洗浄ノズルの上方の最適位置へ簡単に移動させたい。その目安となるように、ガード本体１２Ｂを透明にしておく。さらに、ノズルの位置表示マーク３０を印刷しておけば、誤って洗浄水を外へ飛ばす心配もない。
【００４９】
例えば、図５（ｃ）に示した例では、便座の前部中央に把持部材３２を固定する。この把持部材３２には、伸縮自在の腕部材３３の一端が固定されている。腕部材３３の他端には、ガード本体３４が固定されている。腕部材３３はその節の部分で自在に折れ曲がる。従って、使用時には、図の（ｃ）に示すように、便座の前部中央にガード本体３４をほぼ垂直に立てて支持する。一方、ガード本体３４の洗浄時には、伸縮自在の腕部材３３を伸ばして、ガード本体３４を洗浄ノズルの上方まで移動させる。図のようにガード本体３４に取っ手３５を取り付けておけば、容易に操作ができる。この実施例でも、ガード本体３４の洗浄が容易で、清潔に使用できるという効果がある。
【００５０】
なお、把持部材は便器の前部に取り付けられる構造であればよく、構成は任意である。また、ガード部材も、形状や素材は任意である。腕部材は、把持部材とガード本体とを連結して、伸縮自在な構造のものならばなんでも構わない。腕部材は、すくなくとも、全長を縮めた状態では、ガード本体を便器の前部に垂下するよう配置し、全長を伸長した状態では、ガード本体を洗浄装置近傍に配置するものであればよい。
【実施例４】
【００５１】
図６は、実施例４の便座ガードを示す斜視図である。
図の（ａ）は、ガード本体の構造と支持部材の構造を変形した実施例を示す。図において、ガード本体４８は、天井板４１と前板４２とを備える。これらは例えば、一体成形したプラスチックにより構成される。天井板４１を設けたのは、上方への水跳ねを防止するためである。この構造により、後記するように、洗浄ノズル４５による洗浄が容易になる。
【００５２】
ガード本体４８は、支持軸４４と把持部材４３で支持されている。便座上の左右一対の把持部材４３は、便座４０あるいは、その下側の便器の縁を把持するように構成されている。支持軸４４は、伸縮性があり、ねじれも容認するゴムやスプリング等の部材からなることが好ましい。把持部材４３の位置を便座の前後にシフトさせることにより、ガード本体４８を便器の前部に垂下するよう配置したり、ガード本体４８を洗浄装置近傍に配置することができる。
【００５３】
使用時には、ガード本体４８の天井板４１が便座とほぼ同じ高さに位置して、小水のはねを防止する。前板４２は、便座４０とその下の便器との隙間を塞ぐ。また、ガード本体４８を洗浄するときは、把持部材４３の位置を図の矢印のように、後方へ移動させる。このとき、図の一点鎖線の円内に示したように、丁度、洗浄ノズル４５の先端が天井板４１の下になるようにする。洗浄ノズル４５から、洗浄水を放出ししても、天井板４１があるので、洗浄水が外部に飛散するのを防止できる。
【００５４】
ガード本体４８の配置は、おおよその位置でよい。少し後ろすぎるほどでよい。例えば、ガード本体４８に洗浄ノズル４５が衝突しても、支持軸４４を柔軟な部材により構成しておけば、両者に無理な衝撃が加わることもない。また、把持部材４３が簡単に位置ずれするようにしておいてもよい。また、支持軸４４をステンレス製の棒にして、ガード本体４８をこの支持軸４４を軸にして自由に揺動するように支持すると、洗浄ノズル４５が衝突してもガード本体４８は揺動してその衝撃を緩和する。図１や図５に示したものよりもコストは高くなるが、操作性のよいものになる。
【００５５】
図６（ｂ）は、上記の実施例をさらに発展させた実施例である。この例では、便座４０の上に敷いて使用する便座マット５０に、ガード本体４８を固定した。即ち、ガード本体４８を支持する支持部材を、便座マット５０とした。便座マット５０は、クッション性のあるプラスチック等で構成する。座りごこちがよく、断熱性がいいので、暖房便座は不要である。このマット前端５１に、ちょうどガード本体４８の天井板４１が位置するように固定する。従って、便座マット５０を便座４０の上に乗せると、ガード本体４８が使用状態の位置にくる。また、ガード本体４８を洗浄するときは、便座マット５０を中折れ線５２の部分で折り曲げてから、ガード本体４８を後方に移動させる。図には、後方へ移動した後のマット前端５１とガード本体４８を図示した。これで、上記の例と全く同様に、ガード本体４８を洗浄ノズル４５で洗浄できる。
【００５６】
以上のように、図６の実施例においても、把持部材４３の位置を便座の前後にシフトさせることにより、ガード本体４８を便器の前部に垂下するよう配置したり、ガード本体４８を洗浄装置近傍に配置することができる。即ち、本考案の便座ガードは、いずれも、使用時の位置から洗浄位置まで、ガード本体４８を容易に移動させることができるので、ガード本体４８を既存の洗浄ノズル４５を利用して随時洗浄し、清潔に使用することが可能になる。
【実施例５】
【００５７】
図７は、実施例５の便座ガードを示し、（ａ）と（ｂ）はそれぞれ別々の便座ガードの実施例を示す平面図、（ｃ）と（ｄ）はそれぞれ別々の便座ガードの実施例を示す側面図である。
この実施例では、支持部材６０とガード本体６１とは、連続した屈曲可能な塑性変形する板からなる。この板の材料としては、例えば、アルミニウムやステンレス等が適する。なお、怪我等の防止のために、フラスチックフィルムをコーティングしたものが好ましい。図のように、例えば、１枚の板から打ち抜きで簡単に製造できる。
【００５８】
使用時には、支持部材６０が便座もしくはその下側の便器の縁に乗せられて、ガード本体６１を支持する。支持部材６０とガード本体６１の間には、切れ目６３が設けられており、山折り線６４の部分でガード本体６１が下側に折り曲げられる。こうして、ガード本体６１は、便器の前部で垂下するように折り曲げられる。また、支持部材６０の隅に設けた山折り線６５の部分でストッパ６６を折り曲げることにより、支持部材６０を便座４０等の縁に、簡単に動かないように位置決めできる。
【００５９】
実験によれば、支持部材が比較的丈夫な板の場合には、図の（ａ）に示すようにもっと小型化して構わない。図において、（ａ）と（ｂ）とを比較したとき、支持部材７０は支持部材６０に、ガード本体７１はガード本体６１に、山折り線７４は山折り線６４に、山折り線７５は山折り線６５に、ストッパ７６はストッパ６６にそれぞれ対応する。
【００６０】
図の（ｂ）に示す便座ガードは、使用時に図の（ｃ）に示す状態になり、図の右方向からの小水の飛びはねを防止する。汚れたときは、支持部材７０を持って軽く持ち上げると、ストッパ７６が外れる。その状態で、図６等で説明した要領で、洗浄ノズル４５を使用して洗浄するとよい。なお、図の（ｄ）に示すように、ガード本体７１を前方向に向かって凸になるように湾曲させると、使用時にも目立たず、洗浄もしやすいという効果がある。
【図面の簡単な説明】
【００６１】
【図１】実施例１の便座ガードを示す斜視図である。
【図２】実施例１の便座ガードの使用状況を示す図で、（ａ）は平面図、（ｂ）は（ａ）のＡＡ線に沿う断面図である。
【図３】実施例１の便座ガードを洗浄する場合の状況を示す説明図で、（ａ）は平面図、（ｂ）は側面図である。
【図４】（ａ）は実施例２の便座ガードを示す正面図、（ｂ）は側面図である。
【図５】実施例３の便座ガードを示す斜視図で、（ａ）は洗浄時の全体図、（ｂ）使用時の主要部の図である。
【図６】実施例４の便座ガードを示す斜視図である。
【図７】実施例５の便座ガードを示す平面図と側面図である。
【図８】洋式便器を示す斜視図である。
【図９】洋式便器の前部を示す断面図である。
【符号の説明】
【００６２】
１２  ガード本体
１４  便座
１６  支持部材
１８  係止具
２０  便器
２１  クッション部材
２２  洗浄装置
２３  洗浄ノズル
２４  洗浄水
２６  把持部材
２８  自在継ぎ手
２９  球状端子
３０  受け金具
１ａ、１ｄ  山折り線
１ｂ、１ｃ  谷折り線
【図１】
0003107553.tif 000003
【図２】
0003107553.tif 000004
【図３】
0003107553.tif 000005
【図４】
0003107553.tif 000006
【図５】
0003107553.tif 000007
【図６】
0003107553.tif 000008
【図７】
0003107553.tif 000009
【図８】
0003107553.tif 000010
【図９】
0003107553.tif 000011